(57)【特許請求の範囲】
【請求項１】
筒状の容器本体の上端開口にプラスチック製の上蓋を取り付けてこの上端開口を封止するとともに、この上蓋内に設けた開口からなる飲み口をプルタブで覆う構造の飲料用容器において、
前記上蓋にはその外周を囲む部分に上方向に向かって突出するフランジを設け、
一方前記プルタブは、樹脂フイルムの内部にカット線を入れることで、その外周に設けられ開封の際に引き上げられて上蓋のフランジに引っ掛けられる取っ手部と、前記飲み口を封止する飲み口封止部と、上蓋に固定される固定部と、を形成して構成され、
さらに前記上蓋の上に、この上蓋を覆うようにカバーフイルムを取り付けてカバーフイルムの外周下面を上蓋のフランジの上面にシールすることによって上蓋の上面をカバーフイルムによって密封したことを特徴とする飲料用容器。
【請求項２】
前記カバーフイルム及び前記容器本体は、酸素に対するバリア性を具備するシート材料で構成されていることを特徴とする請求項１記載の飲料用容器。
【発明の詳細な説明】
【０００１】
【産業上の利用分野】
本発明は、牛乳やジュースなどを充填する飲料用容器に関するものである。
【０００２】
【従来技術及び発明が解決しようとする課題】
従来飲料用容器の中には、筒状であってその上蓋に飲み口を設け、該飲み口をプルタブによって密閉した構造のものがある。そしてこの飲料用容器の内容物は、消費者がプルタブを取り外し、飲み口に直接口を付けることによって飲まれる。
【０００３】
しかしながらこの種の従来の飲料用容器においては、該飲料用容器を搬送中にほこりが上蓋に付着するため、この飲み口に直接口を付けると不衛生であった。
【０００４】
特にこの上蓋がプラスチック製の場合は静電気を帯びるため、ほこりが付着し易く、一旦付着したほこりは取れにくい。
【０００５】
このため大きめのプルタブによって該飲み口の周囲を覆うことも可能であるが、上蓋全体を覆うことはできず、ほこりの付着防止が不十分であった。
【０００６】
さらに成型されたプラスチックカバーを上蓋の上に被せてほこりの付着を防止する方法もあるが、該プラスチックカバーと上蓋間の密封ができず、上蓋上に水分等の侵入を許してしまうという不具合がある。
【０００７】
また長期保存を目的とするプラスチック製やラミネート製の飲料用容器等においては、酸素に対してバリア性を具備するフイルムを使用し、これによって内容物の劣化を防いでいる。しかしながらこのバリア性フイルムを、上蓋や上蓋に取り付けるプルタブ等の各部品全部に使用すると、その製造工程が複雑になってしまい、製造コストが上昇してしまう。
【０００８】
本発明は上述の点に鑑みてなされたものでありその目的は、飲料用容器の上蓋にほこりや水分などが付着せず、またバリア性を持たせることが容易な飲料用容器を提供することにある。
【０００９】
【課題を解決するための手段】
上記問題点を解決するため本発明は、筒状の容器本体の上端開口にプラスチック製の上蓋を取り付けてこの上端開口を封止するとともに、この上蓋内に設けた開口からなる飲み口をプルタブで覆う構造の飲料用容器において、前記上蓋にはその外周を囲む部分に上方向に向かって突出するフランジを設け、一方前記プルタブは、樹脂フイルムの内部にカット線を入れることで、その外周に設けられ開封の際に引き上げられて上蓋のフランジに引っ掛けられる取っ手部と、前記飲み口を封止する飲み口封止部と、上蓋に固定される固定部と、を形成して構成され、さらに前記上蓋の上に、この上蓋を覆うようにカバーフイルムを取り付けてカバーフイルムの外周下面を上蓋のフランジの上面にシールすることによって上蓋の上面をカバーフイルムによって密封して構成した。
また本発明は，前記カバーフイルム及び前記容器本体を、酸素に対するバリア性を具備するシート材料で構成することとした。
【００１０】
【作用】
上蓋を覆うようにカバーフイルムをシールしたので、上蓋の上面が外気から密封され、該上面にほこりや水分などが付着する恐れがなくなり、実際に飲み口を開封するまで該上蓋上面を清潔に保てる。
また飲料用容器にバリア性を持たせる場合は、上蓋とプルタブにバリア性を持たせる必要がなく、その代わりに構造の簡単なカバーフイルムにバリア性を持たせるだけで良くなる。
【００１１】
【実施例】
以下、本発明の実施例を図面に基づいて詳細に説明する。
図１は本発明の一実施例にかかる飲料用容器１の要部分解斜視図である。同図に示すようにこの飲料用容器１は、筒状の容器本体１０の上端開口１１にプラスチック製の上蓋２０を取り付けて該上端開口１１を封止するとともに、該上蓋２０を覆うようにカバーフイルム５０を取り付けることによって、該上蓋２０の上面を密封して構成されている。以下各構成部品について説明する。
【００１２】
容器本体１０は、合成樹脂材を積層した構造のシートを筒状に形成し、その下面に同様の材質からなる底板（図示せず）を取り付けて構成されている。なおこの容器本体１０を構成するシートは、例えば、ポリオレフィン（ポリエチレンなど）の層の間に、酸素の通過を防止するＥＶＯＨ（エチレンビニルアルコール共重合体）の層及びその他の層（接着剤層など）を挟み込んだ構造に構成されている。即ちバリア性のある構造に構成されている。そしてこのようなシートを、例えば真空成型によって、容器本体１０の形状に成型している。
【００１３】
なお容器本体１０を構成する材料としては、他にも紙を用いたシートや金属板を用いても良い。
【００１４】
次に上蓋２０は略円板状であってその外周にはこの上蓋２０を囲むように上方向に向かって突出するフランジ２１が設けられている。また上蓋２０内の所定位置には飲み口２３（点線で示す）が開口している。
【００１５】
この実施例の場合、上蓋２０の材質はバリア性のない安価な材料から成るプラスチックシートを真空成型することによって形成されている。
【００１６】
またこの上蓋２０の飲み口２３の上には、該飲み口２３を塞いで密封する樹脂フイルムからなるプルタブ３０が取り付けられている。このプルタブ３０は、略楕円形状であり、その内部に所定のカット線３１を入れることによって取っ手部３３と飲み口封止部３５と固定部３７を形成している。
【００１７】
次にカバーフイルム５０は、前記容器本体１０を構成するシートと同様のバリア性を持つシートを略円形に打ち抜き切断することによって形成されている。このカバーフイルム５０の径は、前記上蓋２０の径と同一に形成されており、またこのカバーフイルム５０の外周の所定位置には外方に突出するつまみ部５１が設けられている。
【００１８】
そしてこの飲料用容器１を製造するには、飲料を充填した容器本体１０の上端開口１１に上蓋２０を取り付ける。このとき上蓋２０の外周のフランジ２１の下面を容器本体１０の上端面に熱で溶着してシールする。
【００１９】
次にこの上蓋２０の上にこれを覆うようにカバーフイルム５０を取り付けるが、このときカバーフイルム５０の外周下面を上蓋２０のフランジ２１の上面に熱で溶着してシールする。なおこのシールは接着剤によって行っても良い。
【００２０】
図２はこのようにして製造された飲料用容器１の要部斜視図である。同図に示すようにこの飲料用容器１は、その上蓋２０全体がカバーフイルム５０によって覆われて密封されているので、外部から上蓋２０上にほこりや水分が侵入することはない。従って飲み口２３（図１参照）の周囲がほこりなどによって汚染されることはない。
【００２１】
そしてこの飲料用容器１の飲み口２３を開けるには、まず図２に点線で示すようにカバーフイルム５０のつまみ部５１をつかんで上方向引き上げてこのカバーフイルム５０を上蓋２０から引き剥がす。
【００２２】
次にプルタブ３０の取っ手部３３を引き上げて、図３に点線で示すように飲み口封止部３５を上蓋２０から引き剥がし、さらに図３に実線で示すようにこの取っ手部３３を上蓋２０のフランジ２１に引っ掻けて固定する。これによって飲み口２３は開口する。
【００２４】
なお飲料用容器１にバリア性が必要ない場合は、カバーフイルム５０をバリア性のない安価な材料で構成しても良い。
【００２５】
また容器本体の形状も円形に限らず、他の形状でよいことも言うまでもない。
【００２６】
【発明の効果】
以上詳細に説明したように本発明によれば以下のような優れた効果を有する。
▲１▼上蓋を覆うようにカバーフイルムをシールしたので、上蓋の上面が外気から密封され、該上面にほこりや水分などが付着する恐れがなくなり、実際に飲み口を開封するまで該上蓋上面を清潔に保て衛生的となる。
【００２７】
▲２▼また飲料用容器にバリア性を持たせる場合、上蓋とプルタブにバリア性を持たせる必要がなく、その代わりに構造の簡単なカバーフイルムにバリア性を持たせるだけで良いので、製造コストの低減化が図れる。
【図面の簡単な説明】
【図１】本発明の一実施例にかかる飲料用容器１の要部分解斜視図である。
【図２】飲料用容器１の要部斜視図である。
【図３】飲料用容器１の飲み口２３を開封した状態を示す斜視図である。
【符号の説明】
１  飲料用容器
１０  容器本体
１１  上端開口
２０  上蓋
２１  フランジ
２３  飲み口
３０  プルタブ
５０  カバーフイルム
【図１】
0003587477.tif 000002
【図２】
0003587477.tif 000003
【図３】
0003587477.tif 000004